(57)【要約】【課題】  Ａ４用紙の横方向の印刷において短辺に特定マークを印字することにより排紙口から見て通信ごとの識別ができるようにしたファクシミリ装置を提供する。【解決手段】  １つの受信ジョブまたは印刷ジョブにおける一纏まりの印刷ページの区切りを示す特定マークを印刷用紙に印刷する機能を備えたファクシミリ装置において、給紙トレイにセットされている印刷用紙と同一サイズで且つ受信した受信文書の画像向きが印刷用紙の向きと異なる場合に、受信文書の画像を回転させて印刷する印刷制御を行うと共に、印刷用紙の短辺側に特定マークを印刷するように制御する印刷制御手段を備えている。【選択図】  図４
2007235254.tif 000002
【特許請求の範囲】
【請求項１】
１つの受信ジョブまたは印刷ジョブにおける一纏まりの印刷ページの区切りを示す特定マークを印刷用紙に印刷する機能を備えたファクシミリ装置において、
給紙トレイにセットされている印刷用紙と同一サイズで且つ受信した受信文書の画像向きが前記印刷用紙の向きと異なる場合に、前記受信文書の画像を回転させて印刷する印刷制御を行うと共に、前記印刷用紙の短辺側に前記特定マークを印刷するように制御する印刷制御手段を備えていることを特徴とするファクシミリ装置。
【請求項２】
前記印刷制御手段は、前記受信文書の画像を回転させて印刷する印刷制御を行う際に、前記印刷用紙の短辺側と共に前記印刷用紙の長辺側にも前記特定マークを印刷するように制御することを特徴とする請求項１に記載のファクシミリ装置。
【請求項３】
前記印刷制御手段は、前記受信文書の画像を回転させて印刷する印刷制御を行う際に、前記印刷用紙の長辺側に前記特定マークを印刷するか否かを設定させる設定手段を備えていることを特徴とする請求項２に記載のファクシミリ装置。
【発明の詳細な説明】
【技術分野】
【０００１】
本発明は、受信ＦＡＸの１ページ目に特定マークを入れることにより、複数の文書の受信時に文書の区切りを示して受信ＦＡＸの通信ごとの識別ができるようにする特定印字機能を有するファクシミリ装置に関するものである。
【背景技術】
【０００２】
一般に、ファクシミリ装置では不特定多数の相手端末より画情報を受信するので、特定のユーザから受信した受信原稿を簡単に見分けるようにできると、便利である。
そこで、受信ＦＡＸの１ページ目に特定マークとしてしおりマークを入れることにより、複数の文書の受信時に、文書の区切りを示して受信ＦＡＸの通信ごとの識別ができるようにするしおり印字機能を有するファクシミリ装置が提案されている。
また、近年では、単体ＦＡＸからＭＦＰとなりＡ４サイズの印刷用紙（以下、「Ａ４用紙」という）を横向きにセットしてＡ４サイズの縦向きの画情報を回転してＡ４サイズの印刷横として印刷することができるようになっている。
【０００３】
なお、先行技術としては特許文献１に、画情報受信時、受信原稿の１ページ目にしおりマークを印刷するか否かを設定すると共に、それぞれの相手端末毎に、しおりマーク印刷色を登録し、画情報受信時、相手端末にしおりマーク印刷色が登録されている場合には、当該しおりマーク印刷色で受信原稿の１ページ目に所定のしおりマークを印刷するようにした技術が開示されている。
【特許文献１】特開２００５−４５４７６公報
【発明の開示】
【発明が解決しようとする課題】
【０００４】
しかしながら、従来の単体ＦＡＸではＡ４用紙の縦方向に印刷が基本なので長辺にしおりマークを付けていたが、Ａ４用紙の横方向に回転記録したときには長辺にしおりマークをつけるとマシン前面の排紙口側にマークが付かずに通信ごとの識別ができないという問題点があった。
本発明は、上記問題点を解決するためになされたもので、その目的は、Ａ４用紙の横方向の印刷において短辺に特定マークを印字することにより排紙口から見て通信ごとの識別ができるようにしたファクシミリ装置を提供することである。
【課題を解決するための手段】
【０００５】
上述の目的を達成するために、請求項１記載の発明は、１つの受信ジョブまたは印刷ジョブにおける一纏まりの印刷ページの区切りを示す特定マークを印刷用紙に印刷する機能を備えたファクシミリ装置において、給紙トレイにセットされている印刷用紙と同一サイズで且つ受信した受信文書の画像向きが前記印刷用紙の向きと異なる場合に、前記受信文書の画像を回転させて印刷する印刷制御を行うと共に、前記印刷用紙の短辺側に前記特定マークを印刷するように制御する印刷制御手段を備えていることを特徴とする。
【０００６】
請求項２記載の発明は、前記印刷制御手段は、前記受信文書の画像を回転させて印刷する印刷制御を行う際に、前記印刷用紙の短辺側と共に前記印刷用紙の長辺側にも前記特定マークを印刷するように制御する請求項１に記載のファクシミリ装置を特徴とする。
請求項３記載の発明は、前記印刷制御手段は、前記受信文書の画像を回転させて印刷する印刷制御を行う際に、前記印刷用紙の長辺側に前記特定マークを印刷するか否かを設定させる設定手段を備えている請求項２に記載のファクシミリ装置を特徴とする。
【発明の効果】
【０００７】
本発明によれば、Ａ４サイズの印刷用紙の横方向に印刷する際には印刷用紙の短辺に特定マークを付けることにより、排紙口から見て通信ごとの識別が可能になる。
またＡ４サイズの印刷用紙の横方向に印刷を行う時は、Ａ４サイズの印刷用紙の短辺のみでなく長辺にも特定マークを印字することにより、Ａ４サイズの印刷用紙の縦方向に印刷された受信ＦＡＸとＡ４サイズの印刷用紙の横方向に印刷された受信ＦＡＸを同じファイルにファイリングした場合にも通信ごとに識別をすることができる。
【０００８】
また、ユーザ設定にＡ４サイズの印刷用紙の横方向に印刷を行う際にＡ４サイズの印刷用紙の長辺にしおりマークを付ける／付けないの選択肢を設けることにより、Ａ４サイズの印刷用紙の縦方向に印刷した受信ＦＡＸとＡ４サイズの印刷用紙の横方向に印刷した受信ＦＡＸとを同じファイルにファイリングしない場合にはＡ４サイズの印刷用紙の長辺にしおりマークを付けないので画情報中の判読できない範囲が少なくなる。
【発明を実施するための最良の形態】
【０００９】
以下図面を参照しながら本発明の実施形態を詳細に説明する。
図１は、本実施形態にかかるファクシミリ装置のシステム構成図である。なお、図１にはグループ３（Ｇ３）ファクシミリ装置のシステム構成が示されている。
この図１において、システム制御部１は、当該Ｇ３ファクシミリ装置の各部の制御処理、及び所定のファクシミリ伝送制御手順処理を行う。
システムメモリ２は、システム制御部１が実行する制御処理プログラム、及び処理プログラムを実行するときに必要な各種データなどを記憶すると共に、システム制御部１のワークエリアを構成する。
パラメータメモリ３は、当該Ｇ３ファクシミリ装置に固有な各種の情報を記憶する。時計回路４は、現在時刻情報を出力する。
【００１０】
画像読み取り手段であるスキャナ５は、所定の解像度で原稿画像を読み取る。印刷手段であるカラープロッタ６は、所定色で、且つ、所定の解像度で画像を記録出力するためのものであり、所定の給紙トレイを有している。例えば、カラープロッタ６は、シアン、マゼンタ、イエローの三原色を適用して、多色印刷物（モノカラー、フルカラー）を記録出力することができる。
操作表示部７は、当該Ｇ３ファクシミリ装置を操作するためのもので、各種の操作キー、及び各種の表示器からなる。
符号化復号化部８は、画信号を符号化圧縮すると共に、符号化圧縮されている画情報を元の画信号に復号化する。画像蓄積装置９は、符号化圧縮された状態の画情報を多数記憶する。
【００１１】
Ｇ３ファクシミリモデム１０は、Ｇ３ファクシミリのモデム機能を実現するためのものであり、伝送手順信号をやりとりするための低速モデム機能（Ｖ．２１モデム）、及び、主に画情報をやりとりするための高速モデム機能（Ｖ．１７モデム、Ｖ．３４モデム、Ｖ．２９モデム、Ｖ．２７ｔｅｒモデムなど）を備えている。
網制御装置１１は、当該Ｇ３ファクシミリ装置をアナログ公衆網ＰＳＴＮに接続するためのものであり、自動発着信機能を備えている。
これらの、システム制御部１、システムメモリ２、パラメータメモリ３、時計回路４、スキャナ５、プロッタ６、操作表示部７、符号化復号化部８、画像蓄積装置９、Ｇ３ファクシミリモデム１０、及び、網制御装置１１は、内部バス１２に接続されており、これらの各要素間でのデータのやりとりは、主としてこの内部バス１２を介して行われている。
【００１２】
また、網制御装置１１とＧ３ファクシミリモデム１０との間のデータのやりとりは、直接行なわれている。
またカラープロッタ６は、システム制御部１の制御の下に、給紙トレイにセットされている用紙と同じサイズで向きだけが違う文書を受信した時、自動的に画像を右回りに９０°回転して印刷する機能を有している。
上記したような本実施形態のＧ３ファクシミリ装置では受信原稿に図２に示すような各種のマークを追加記録することができる。
【００１３】
センターマークＣＭ１は、用紙の短手方向の中央位置を示すためのものであり、センターマークＣＭ２は、用紙の長手方向の中央位置を示すためのものである。これらのセンターマークＣＭ１，ＣＭ２は、印刷各ページに追加印刷される。
特定マークであるしおりマークＳＭは、１つの受信ジョブまたは印刷ジョブにおける一纏まりの印刷ページの区切りを示すものであり、通常、印刷ジョブの１ページ目に追加され、通常のＡ４サイズの印刷用紙（以下、「Ａ４用紙」という）を縦にして印刷する場合、Ａ４用紙の長辺側Ａに印刷される。
また、しおりマークを追加するか否かは、当該Ｇ３ファクシミリ装置のマシン設定情報の１つとして登録されている。
【００１４】
図３は、本実施形態のＧ３ファクシミリ装置が受信動作するときの処理の一例を示している。
先ず、着信を検出すると（Ｓ１０１）、着信応答し（Ｓ１０２）、所定のＧ３ファクシミリ着信時の伝送前手順処理を行い（Ｓ１０３）、画情報の受信処理を行う（Ｓ１０４）。このとき、受信した画情報は、一旦蓄積する。
画情報の受信が終了すると、所定の伝送後手順処理を行い（Ｓ１０５）、回線を復旧して（Ｓ１０５）、ステップＳ１０４で蓄積した画情報の印刷処理を行う（Ｓ１０７）。
【００１５】
図４は、印刷処理（Ｓ１０７）の一例を示したフローチャートである。
先ず、伝送前手順で得られている相手先情報が、しおりマーク指定情報テーブルに登録されているかどうかの判別を行う（Ｓ２０１、Ｓ２０２）。
ステップＳ２０２において肯定結果（Ｓ２で「ＹＥＳ」）が得られたときは、対応する相手先のしおりマーク指定情報を取得する（Ｓ２０３）。
そして、処理ページ番号を管理するためのカウンタｎの値を「１」に初期設定し（Ｓ２０４）、そのときのマシン設定情報のしおり印字フラグを取得して、しおりマークが印刷ＯＮに設定されているかどうかの判別を行う（Ｓ２０５）。
【００１６】
ステップＳ２０５において肯定結果（Ｓ２０５で「ＹＥＳ」）が得られたときは、通常はＡ４用紙の縦方向に画情報を印刷するところを、Ａ４用紙を横方向に回転させて印刷するかどうかの判別を行う（Ｓ２０６）。ステップＳ２０６において肯定結果（Ｓ２０６で「ＹＥＳ」）が得られた時は、ユーザ設定としてＡ４用紙の横方向に印刷する場合おいてもＡ４用紙の長辺側Ａにしおりマーク印刷を行うかどうかの判別を行う（Ｓ２０７）。
ステップＳ２０７において肯定結果（Ｓ２０７で「ＹＥＳ」）が得られたときは、Ａ４用紙の横方向に印刷する場合においてもＡ４用紙の短辺側Ｂ及び長辺側Ａ（図２参照）にしおりマークの印刷を行うためのしおりマーク印刷情報２を当該ページの印刷情報に追加する（Ｓ２０８）。
【００１７】
一方、ステップＳ２０７において否定結果（Ｓ２０７で「ＮＯ」）が得られたときは、Ａ４用紙の横方向に印刷する場合においてはＡ４用紙の短辺側Ｂ（図２参照）にしおりマーク印刷を行うためのしおりマーク印刷情報１を当該ページの印刷情報に追加する（Ｓ２０９）。
また、ステップＳ２０６において否定結果（Ｓ２０６で「ＮＯ」）が得られたときは、Ａ４用紙の縦方向に印刷する場合においてはＡ４用紙の長辺側Ａ（図２参照）にしおりマーク印刷を行うためのしおりマーク印刷情報３を当該ページの印刷情報に追加する（Ｓ２１０）。
【００１８】
次に、ｎページ目の蓄積画情報の印刷処理を行う（Ｓ２１１）。このとき、しおりマーク印刷情報が追加されているときには、その追加されているしおりマーク印刷情報１、２、３のいずれかの内容も印刷する。これにより、印刷ページのＡ４用紙の短辺側Ｂあるいは／及び長辺側Ａには、しおりマークＳＭが追加されて印刷される。
次に、カウンタｎの値を１つ増やし（Ｓ２１２）、次の印刷ページがあるかどうかの判別を行い（Ｓ２１３）、次のページがある場合は（Ｓ２１３で「ＹＥＳ」、ステップＳ２１１に戻り次のページの印刷動作を行う。
【００１９】
このように本実施形態では、Ａ４用紙の横方向に印刷を行う時はＡ４用紙の短辺方向にしおりマークを付けることにより、排紙口から見て通信ごとの識別ができる。
またＡ４用紙の横方向に印刷を行う時は、Ａ４用紙の短辺のみでなく長辺にもしおりマークを印字することにより、Ａ４用紙の縦方向に印刷された受信ＦＡＸとＡ４用紙の横方向に印刷された受信ＦＡＸを同じファイルにファイリングした場合にも通信ごとに識別をすることができる。
また、ユーザ設定にＡ４用紙の横方向に印刷を行う際にＡ４用紙の長辺にしおりマークを付ける／付けないの選択肢を設けることにより、Ａ４用紙の縦方向に印刷した受信ＦＡＸとＡ４用紙の横方向に印刷した受信ＦＡＸとを同じファイルにファイリングしない場合にはＡ４用紙の長辺にしおりマークを付けないので画情報中の判読できない範囲が少なくなる。
【図面の簡単な説明】
【００２０】
【図１】本発明の実施形態にかかるＧ３ファクシミリ装置のシステム構成図。
【図２】受信原稿に追加記録される各種のマークの説明図。
【図３】このＧ３ファクシミリ装置が受信動作するときの処理の一例を示すフローチャート。
【図４】図３に示した印刷処理の一例を示すフローチャート。
【符号の説明】
【００２１】
１…システム制御部、２…システムメモリ、３…パラメータメモリ、４…時計回路、５…スキャナ、６…カラープロッタ、７…操作表示部、８…符号化復号化部、９…画像蓄積装置、１０…ファクシミリモデム、１１…網制御装置、１２…内部バス
【図１】
2007235254.tif 000003
【図２】
2007235254.tif 000004
【図３】
2007235254.tif 000005
【図４】
2007235254.tif 000006